(57)【要約】【課題】従来の積荷取扱トロリーの設計及び構成を簡素化する。【解決手段】昇降手段(134)により少なくとも１つの台車組立体(120)に対し上昇及び下降する積荷支持面(114)を有する細長い積荷結合部(112)と斜板(140)とを設け、少なくとも１つの台車組立体(120)内に昇降手段(134)を設け、積荷支持面(114)の底部に斜板(140)を設け、斜板(140)に設けた案内手段(508)と協働して相対的に移動する少なくとも１つの横方向の突起(144)を昇降手段(134)に設けることにより、少なくとも１つの台車組立体(120)に対して、積荷結合部(112)を上下に移動させる溝形の軌道内を正常に走行する積荷取扱トロリー(110)。【選択図】図３ａ
2013082444.tif 000002
【特許請求の範囲】
【請求項１】
少なくとも１つの台車組立体(120)に対し昇降手段(134)により上昇及び下降する積荷支持面(114)を有する細長い積荷結合部(112)と斜板(140)とを備え、
昇降手段(134)と斜板(140)とは、協働して、積荷結合部(112)と台車組立体(120)とを相対的に長さ方向に移動させ、
少なくとも１つの台車組立体(120)に昇降手段(134)を設け、積荷支持面(114)の底部に斜板(140)を設け、
斜板(140)に設けた案内手段(508)と協働して相対的に移動する少なくとも１つの横方向突起(144)を昇降手段(134)に設け、
少なくとも１つの台車組立体(120)に対して、積荷結合部(112)を上下に移動させることを特徴とする溝形の軌道内を正常に走行する積荷取扱トロリー(110)。
【請求項２】
斜板(140)は、少なくとも１つの斜面(501,502)と、斜面(501,502)から延伸するほぼ三角形状の一対の側面(503,504)と、少なくとも１つの斜面(501,502)の裏側に形成される平坦面(505)と、端面(506)とを有するほぼ楔形の斜板本体(500)を備える請求項１に記載の積荷取扱トロリー(110)。
【請求項３】
斜板本体(500)の三角形状の側面(503,504)に切欠部(507)を形成して、少なくとも１つの斜面(501,502)の裏側に案内手段(508)となる接触面(508)を形成した請求項２に記載の積荷取扱トロリー(110)。
【請求項４】
三角状の各側面(503,504)に切欠部(507)を形成した請求項３に記載の積荷取扱トロリー(110)。
【請求項５】
第1の傾斜角(θ1)と第２の傾斜角(θ2)とを各々有する少なくとも隣接する２つの斜面(501,502)を斜板(140)に形成した請求項２〜４の何れか１項に記載の積荷取扱トロリー(110)。
【請求項６】
斜板(140)の端面(506)に後部(509)を設けた請求項２〜５の何れか１項に記載の積荷取扱トロリー(110)。
【請求項７】
少なくとも１つの斜面(501,502)下の斜板本体(500)の後部(509)となる端面(506)に別の切欠部(510)を形成した請求項６に記載の積荷取扱トロリー(110)。
【請求項８】
斜板(140)の平坦面(505)に設けた固定手段(511,512)により積荷結合部(112)の積荷支持面(114)の底部に斜板(140)を固定した請求項２〜７の何れか１項に記載の積荷取扱トロリー(110)。
【請求項９】
積荷結合部(112)の適切な位置に相互固定手段(141)を配置して積荷支持面(114)の底部に斜板(140)を固定した請求項８に記載の積荷取扱トロリー(110)。
【請求項１０】
積荷結合部(112)の長さ方向に案内手段(508)を延伸させて積荷結合部(112)の縦軸のほぼ中央に斜板(140)を固定した請求項１〜９の何れか１項に記載の積荷取扱トロリー(110)。
【請求項１１】
昇降手段(134)に設けられる少なくとも１つの横方向の突起(144)は、斜板(140)の案内手段(508)と協働して相対的に移動可能に積荷結合部(112)の縦中心軸に向けて内側に突出するピン、埋込ボルト又は係止部の形態である請求項１〜１０の何れか１項に記載の積荷取扱トロリー(110)。
【請求項１２】
少なくとも１つの横方向の突起(144)は、積荷結合部(112)の縦中心軸に向けて内側に対向して突出する一対のピン、埋込ボルト又は係止部の形態で設けられる請求項１１に記載の積荷取扱トロリー(110)。
【請求項１３】
昇降手段(134)は、斜板(140)に当接するローラ(138)を備える請求項１〜１２の何れか１項に記載の積荷取扱トロリー(110)。
【請求項１４】
少なくとも１つの台車組立体(120)の昇降手段(134)は、少なくとも１つの側壁(136)を備え、側壁(136)の長さ方向に延伸する上縁の大部分を越える隆起(152)が側壁(136)に形成され、少なくとも１つの横方向の突起(144)を隆起(152)に形成した請求項１〜１３の何れか１項に記載の積荷取扱トロリー(110)。
【請求項１５】
積荷結合部(112)の積荷支持面(114)に設けられる開口(154)内に隆起(152)を収容する請求項１４に記載の積荷取扱トロリー(110)。
【発明の詳細な説明】
【技術分野】
【０００１】
本発明は、溝形の軌道内を正常に走行する形式の積荷取扱トロリーに関する。積荷取扱トロリーは、積荷結合部と台車とを相対的に長さ方向に移動すると、斜板ローラ手段により台車（又はその他の車輪付トロリー）に対し上下（垂直）に移動する細長い複数の積荷結合部を備える。
【背景技術】
【０００２】
積荷結合部と台車組立体との間に介在する特許文献１に示される実用的な保持手段から、特許文献２に示される他の形態の実用的な保持手段、特許文献３に示される積荷取扱トロリーの現行モデル及び現在使用中のモデルに至るまで、本特許出願人は、ここ数十年間多数の積荷取扱トロリーを開発してきた。
【０００３】
図１及び図２は、特許文献３に開示される従来の積荷取扱トロリーの斜視図を示す。積荷取扱トロリー10は、逆溝（コ字状）断面の積荷結合部12を有し、積荷結合部12の上部に設けられる頂壁（ウェブ）14は、積荷結合部12上に搭載される積荷（図示せず）に接触し、積荷結合部12の一対の側壁16,18は、頂壁14から下方に延伸する。側壁16,18に隣接してかつ一対の側壁16,18間に形成される間隙内に台車組立体20が配置される。積荷結合部12毎に設けられる少なくとも２つの台車組立体20は、互いに離間する一対の外側材22,24を有し、外側材22,24は、埋込ボルト26、ローラ28及び軸支棒30により相互に接続されて、台車組立体20間に複数の関節連結機構32を構成する。
【０００４】
また、台車組立体20の外側材22,24間に配置される台車組立体20を垂直方向に移動する昇降手段34に埋込ボルト26が相互連結される。昇降手段34は、互いに離間する一対の内側材36を備え、一対の内側材36間にローラ38が取り付けられる。ローラ38に接触又は当接する斜板40は、ネジ41で積荷結合部12の底面に固着され、積荷結合部12に沿って下方位置から台車組立体20が上方に移動するとき、ローラ38は、斜板40上で相対的に移動して、台車組立体20に対して積荷結合部12を上方に移動する。
【０００５】
台車組立体20の外側材22,24の外面にカム溝42が形成され、積荷結合部12の側壁16,18の内面にピン44（点線で略示する）が取り付けられ、台車組立体20に対して相対的に積荷結合部12を垂直（上方又は下方）に移動するとき、カム溝42内に配置されるピン44は、カム溝42に沿って移動する。カム溝42の第１の下部46は、台車組立体20の外側材22,24の下縁に平行に形成され、カム溝42の主部48は、斜板40の傾斜に対応する角度で形成され、カム溝42の上部50は、台車組立体20の外側材22,24の上縁に平行に形成される。カム溝42の上部50に設けられる隆起52は、台車組立体20の外側材22,24の頂縁の主要部より上方に延伸する。カム溝42の下部46の端部は、閉鎖されて、ピン44の移動範囲を制限するのに対し、カム溝42の上部50の端部は、開放されるので、台車組立体20の積荷結合部12に対して、カム溝42内にピン44を着脱自在に嵌合することができる。
【０００６】
従来の積荷取扱トロリー10では、台車組立体20に対して積荷結合部12を最大に上昇させるため、積荷結合部12の頂壁14に開口54が形成され、台車組立体20の外側材22,24の隆起52は、開口54内の下方位置に収容されるので、隆起52は、周囲に対し突出しない。積荷結合部12に対し相対的に長さ方向に台車組立体20を移動すると、隆起52に形成されるカム溝42により、既知の台車組立体の側材で可能となる高さより高く積荷結合部12を上昇することができる。
【０００７】
積荷結合部12に対し相対的に長さ方向に台車組立体20を移動する図示の装置は、従来の構造を備える。クランク56は、積荷結合部12の一対の側壁16,18間にピン58により回転可能に軸着される。積荷結合部12の側壁16,18は、端壁60に接続され、クランク56の頂部に形成される孔66に係合する操作レバー（図示せず）を収容する開口62が積荷結合部12の端部上面に形成される。互いに横方向に離間する一対の連結機構68（一方のみ図示する）は、クランク56に回転自在に軸着される。一対のクランク連結機構68は、枢支接続ピン70により台車組立体20の対応する各外側材22,24に軸着される。接合部となる枢支ピン72は、各クランク連結機構68に設けられる。
【０００８】
軌道（図示せず）内に配置された積荷結合部12を軌道に対し上昇する必要があるとき、
クランク56内に挿入した操作レバー（図示せず）を（図１及び図２の現視点で）反時計方向に回転してクランク56を移動し、連結機構68により台車組立体20を長さ方向に変位させる。台車組立体20の変位により、ローラ38が移動して、ローラ38に接触する斜板40が上昇するので、積荷結合部12が上方位置に移動した状態で、軌道に沿って積荷取扱トロリー10を移動することができる。例えば、カム溝42に沿ってピン44をカム溝42の上部50に移動すると、積荷結合部12の最大変位が得られる。
【先行技術文献】
【特許文献】
【０００９】
【特許文献１】欧州特許公開第０１３３０４２号公報
【特許文献２】欧州特許公開第１２５１０５６号公報
【特許文献３】欧州特許公開第１８９７７４９号公報
【発明の概要】
【発明が解決しようとする課題】
【００１０】
積荷取扱トロリー10の正常操作中にローラ28が軌道に接触しても、台車組立体20の外側材22,24の端面とピン72との間に間隙が形成される。積荷取扱トロリー10が軌道の端部を越えて延伸するとき、当接ピン72が無いと、連結機構68と台車組立体20との間で相当の角度変位が発生しよう。しかしながら、当接ピン72を設けると、連結機構68と台車組立体20との角度変位を制限できるので、台車20の支持が不十分と思われても、斜板40に対してローラ38を相対的に長さ方向に移動すれば、斜板40を所望の位置に上昇することができる。
【００１１】
従来の積荷取扱トロリー10は、良好な機能を備えるが、本発明者は、設計と機能を更に継続的に改善しながら、既知の積荷取扱トロリーの設計を更に改良して、多数の下記利点が得られる新規な積荷取扱トロリーを開発した。
【００１２】
従って、本発明は、溝形の軌道内を正常に走行する積荷取扱トロリーを提供するもので、この積荷取扱トロリーは、積荷結合部と台車組立体とを相対的に長さ方向に移動することにより、昇降手段並び斜板を通じて、少なくとも１つの台車組立体に対し上昇及び下降する積荷支持面を有する細長い積荷結合部を備え、少なくとも１つの台車組立体内に昇降手段を設け、積荷支持面の下側に斜板を設け、斜板の案内手段と移動可能に協働する少なくとも１つの横方向の突起を昇降手段に設けることにより、少なくとも１つの台車組立体に対して、積荷結合部を上下（垂直）に移動することができる。
【００１３】
本発明が提供する新規な積荷取扱トロリーは、種々の理由により有益である。従来の積荷取扱トロリー（実質的に図１及び図２に示す）では、積荷結合部の側壁の内面に設けたピン又は埋込ボルトを台車組立体の側壁に設けた溝又は孔に嵌合させて、積荷結合部の底面に取り付けた斜板により、台車組立体に対し積荷結合部の上下に移動できるが、従来の積荷取扱トロリーとは異なり、本発明では、積荷結合部の底部に取り付けた斜板に案内手段に設けると共に、台車組立体に昇降手段を設けて、斜板の案内手段に対して昇降手段を移動可能に協働させるので、従来の積荷取扱トロリーの設計及び構成を簡素化することができる。
【００１４】
従来の積荷取扱トロリーの積荷結合部では、積荷結合部の複数の側壁に設けられる複数のピンに荷重を意図的に支持させるように設計されなかったが、前記構成要素（側壁及びピン）が実際に荷重支持体になり、ピンが積荷結合部の内面を摩耗させる不具合を完全に回避できなくても、本発明者が創出した積荷取扱トロリーは極めて有益である。従来の積荷取扱トロリーでは、積荷結合部の一体部としてピンを鋳造するため、一対の内部ピンを交換するとき、全積荷結合部を交換する必要があり、修理費が高価となる難点がある。また、台車組立体に荷重を負荷させる設計を行うと、実際に低強度部となる溝又は孔を側壁に設けなければならず、故障が増加する可能性が生ずる。
【課題を解決するための手段】
【００１５】
本発明では、案内手段を有する斜板を積荷結合部の底部に設けると共に、少なくとも１つの台車組立体に昇降手段を設けることにより前記課題を解決し、積荷結合部の内面にピン又は係止部を設けずかつ頂壁から垂下又は延伸する側壁は、本発明の必須構成要件ではなく、台車組立体に孔又はカム溝を設ける必要がない。その結果、斜板又は昇降手段の何れかが故障しても、容易に、単純にかつ安価に故障部品を交換することができる。
【００１６】
少なくとも１つの斜面と、斜面から垂下又は延伸するほぼ三角形の一対の側面と、少なくとも１つの斜面の裏面に形成される平坦面と、端面とを有する楔形の斜板本体により斜板を構成して、斜板に「肉薄端」と「肉厚端」とを設けることが好ましい。斜板本体の三角形側面の切欠部（凹部）として案内手段を少なくとも１つの斜面の下方に設けて、昇降手段（横方向の突起）が接触する接触面を案内手段に形成することが好ましい。平坦面を上向きにして端面（即ち肉厚端）側から斜板を観察すると、斜板に逆Ｔ字断面を付与するように、各三角形側面に切欠部を形成することが望ましい。
【００１７】
第１の斜面が平坦面に接続される先端部（即ち斜板の肉薄端）から始まるより大きい第１の傾斜角と、第１の斜面が第２の斜面に接続される中間部から（即ち斜板の肉厚端まで）延びるより小さい第２の傾斜角とを含む少なくとも２つの隣接する斜面を斜板に設けることが好ましい。少なくとも２つの隣接する斜面を形成すると、より大きい傾斜角の第１の斜面からより小さい傾斜角の第２の斜面への復旧力の低減に有利であり、更に、機構（例えばラチェット機構又は液圧駆動機構）を使用して、反対方向に駆動力を及ぼすことにより、積荷結合部と台車組立体とを相対的に長さ方向に移動させて積荷結合部を上昇できる利点がある。この駆動力の低減は、斜板の肉厚端の方向、即ち、第１の斜面から第２の斜面の末端方向に最大となる。
【００１８】
また、斜板の端面に後部を設けることができる。少なくとも１つの斜面の下方の斜板本体の端面に、別の切欠部を有するこの後部を形成することができる。
【００１９】
積荷結合部の積荷支持面の底部に斜板を固定できる固定手段を斜板の平坦面に設けることが好ましい。積荷結合部の適切な箇所に相互固定手段を設けることができる。案内手段が長さ方向に延伸するように、斜板は、通常積荷結合部の縦軸のほぼ中央に固定される。
【００２０】
昇降手段に設けられる少なくとも１つの横方向の突起は、積荷結合部の縦軸に向けて内側に延伸しかつ斜板の案内手段と共に相対的に移動可能に協働するピン、埋込ボルト、係止部等が好ましい。特に、昇降手段は、積荷結合部の縦軸に向けて内側に延伸する一対の対向するピン、埋込ボルト又は係止部の形態が好ましい。
【００２１】
また、斜板に接触し当接するローラを昇降手段に設けることが好ましい。積荷結合部が下方位置にあるとき、斜板（肉薄端）は、ローラ上又はその付近上に配置され、積荷結合部を上昇させるとき、斜板の少なくとも１つの斜面は、ローラに接触し（上昇前に非接触ならば）、斜板の端面（肉厚端）の方向に移動範囲を確定する終点まで、斜板は、相対的にローラ上を移動する。
【００２２】
本発明の積荷取扱トロリーに設けられる少なくとも１つの台車組立体の昇降手段は、少なくとも１つの側壁を備え、側壁の長さ方向に延伸する上縁の大部分を越える隆起が側壁に形成され、少なくとも１つの横方向の突起が隆起に形成される。積荷結合部の積荷支持面に形成される開口内に突起を収容することが好ましい。
【００２３】
従って、積荷取扱トロリーが移動可能な下方位置に積荷結合部があるとき、少なくとも１つの横方向の突起は、斜板の案内手段に当接可能に案内手段上に隣接して配置され、斜板の案内手段の全体は、少なくとも１つの台車組立体内に配置される。案内手段の長さ方向に沿って少なくとも１つの横方向の突起を移動したとき、積荷結合部は、上方位置にあり、このとき、斜板全体は、少なくとも１つの台車組立体上に配置され、この結果、少なくとも１つの台車組立体に対して積荷結合部は、可能な最大位置に上昇している。
【発明の効果】
【００２４】
本発明では、斜板の案内手段に対して昇降手段を移動可能に協働させるので、従来の積荷取扱トロリーの設計及び構成を簡素化することができる。また、本発明では、台車組立体に孔又はカム溝を設ける必要がなく、その結果、斜板又は昇降手段の何れかが故障しても、容易に、単純にかつ安価に故障部品を交換することができる。
【図面の簡単な説明】
【００２５】
【図１】従来の積荷取扱トロリーを示す斜視図
【図２】図１に示す従来の積荷取扱トロリーの分解図斜視図
【図３ａ】下方位置にある本発明の積荷取扱トロリーの長手方向断面図
【図３ｂ】本発明の積荷取扱トロリーの長手方向断面図
【図３ｃ】上方位置にある本発明の積荷取扱トロリーの長手方向断面図
【図４ａ】図３ａのＡ−Ａ線に沿う積荷結合部の断面図
【図４ｂ】図３ｂのＢ−Ｂ線に沿う積荷結合部の断面図
【図４ｃ】図３ｃのＣ−Ｃ線に沿う積荷結合部の断面図
【図５】本発明の積荷取扱トロリーに使用する斜板の第１の斜視図
【図６】図５に示す斜板の第２の斜視図
【図７】図５及び図６に示す斜板の第３の斜視図
【図８】図３ａ、図３ｂ、図３ｃ、図４ａ、図４ｂ及び図４ｃに示す積荷結合部の部分斜視図
【図９】図３ａ、図３ｂ、図３ｃ、図４ａ、図４ｂ及び図４ｃに示す積荷取扱トロリーの部分斜視図
【発明を実施するための形態】
【００２６】
本発明を限定する目的でなく、添付の略示図面（不定縮尺）について、本発明の積荷取扱トロリーの実施の形態を以下詳細に説明する。
【００２７】
図３ａ、図３ｂ、図３ｃ、図４ａ、図４ｂ及び図４ｃに示すように、積荷取扱トロリー110は、反転溝形断面、即ちコ字状断面の積荷結合部112を有し、積荷結合部112の上部に配置されるウェブ、即ち頂壁114は、頂壁114の上に配置される積荷（図示せず）に接触する積荷支持面を形成し、側壁116,118（設けるか否かは任意）は、頂壁114から下方に延伸する。一対の側壁116,118間にかつ側壁116,118に隣接する隙間内に、台車組立体120が配置される。埋込ボルト126、ローラ128及び軸支ロッド130により相互に接続されて、積荷結合部毎に少なくとも２つの台車組立体120間の関節連結機構（図示せず）を構成して互いに離間する一対の外側材（側壁）122,124が台車組立体120に設けられる。
【００２８】
また、台車の一対の外側材（側壁）122,124間に配置される台車組立体120を垂直方向、即ち上下に移動する昇降手段134は、複数の埋込ボルト126により相互に接続される。昇降手段134は、互いに離間する一対の内側材（側壁）136を有し、積荷結合部112の縦軸に対して横方向かつ内側に延伸するピン144を一対の内側材（側壁）136の各々に設け、一対の内側材（側壁）136間にローラ138が配置される。積荷結合部112の底部にネジ141で固着される斜板140は、斜板140に接触するローラ138に協働して、積荷結合部112に沿って台車組立体120が相対的に長さ方向に移動すると、斜板140に接触しながらローラ138が移動して、ローラ138は、斜板140を相対的に上方に押し上げて、台車組立体120に対して下方位置から上方に積荷結合部112を移動させる。
【００２９】
図５、図６及び図７に示すように、斜板140は、第１の斜面501及び第２の斜面502と、第１の斜面501及び第２の斜面502から垂下又は延伸するほぼ三角形状の一対の側面503,504と、第１の斜面501及び第２の斜面502の裏面となる平坦面505と、第２の斜面502と平坦面505との間に形成される端面506とを有するほぼ楔形の斜板本体500を備え、斜板140の第１の斜面501と平坦面505との間に「肉薄端」が形成されると共に、端面506側には第２の斜面502と平坦面505との間に「肉厚端」が形成される。
【００３０】
第１の斜面501及び第２の斜面502の下方の斜板本体500の三角形状の側面503,504には、一対の切欠部507が形成され、切欠部507により一対の接触面508を形成する案内手段が斜板140に設けられる。三角形状の各側面503,504に切欠部507を設けて、平坦面505を上向きに反転して、端面506（即ち肉厚端）から見るとき、斜板140は、逆Ｔ字状となる。
【００３１】
また、第２の傾斜面502の下方の斜板本体500の端面506には、別の切欠部510が形成され、斜板140の端面506には、切欠部510を有する後部509が形成される。
【００３２】
斜板140の平坦面505にネジ穴511,512形態の固定手段が設けられ、斜板140は、積荷結合部112の積荷支持表面114の底部にネジ141で固定される。積荷結合部112の適切な位置に相互の固定手段を設けることができる。積荷結合部112の縦軸に対してほぼ中央に斜板140を固定すると、図３ａ、図３ｂ、図３Ｃ、図４ａ、図４ｂ及び図４Ｃ、更に図８に示すように、案内手段（接触面508）は、長さ方向に延伸する。
【００３３】
台車組立体120に対し積荷結合部112を最大位置に上昇させるため、図３ａ、図４ａ及び図９に示すように、下方位置にある昇降手段134の隆起152は、周囲に突出しない状態で積荷結合部112の積荷支持面154の開口154内に収容される。図３ｂ及び図４ｂに示すように、積荷結合部112に対して長さ方向に台車組立体120を移動すると、図３ｃ及び図４ｃに示すように、積荷結合部112は、最大上昇高さに移動して、図１及び図２に示す従来の積荷取扱トロリーで達成できる高さと少なくとも同一の高さに積荷結合部112が上昇される。
【００３４】
台車組立体120を長手方向に移動すると、ローラ138により斜板140が上昇して、積荷結合部112は、図３ｃ及び図４ｃに示す上方位置に移動して、積荷取扱トロリー110は、軌道（図示せず）に沿って移動する。例えば、斜板140の接触面508に沿ってピン144を接触面508の終点に移動すると、積荷結合部112は最大高さに移動する。台車組立体120を反対方向に移動し、斜板140の接触面508に沿って反対方向にピン144を移動して、積荷支持面114の開口154にピン144を再配置すると、積荷結合部112の下降を達成できる。
【００３５】
積荷結合部に対して長さ方向に台車組立体120を移動する装置として、例えば特許文献３に開示される従来技術、他のあらゆるラチェット-型駆動機構又は油圧駆動機構を使用することができる。
【符号の説明】
【００３６】
(110)・・積荷取扱トロリー、  (112)・・積荷結合部、  (114)・・積荷支持面、  (120)・・台車組立体、  (134)・・昇降手段、  (136)・・側壁、  (138)・・ローラ、  (140)・・斜板、  (144)・・横方向突起、  (152)・・隆起、  (154)・・開口、  (500)・・斜板本体、  (501,502)・・斜面、  (503,504)・・側面、  (505)・・平坦面、  (506)・・端面、  (507)・・切欠部、  (508)・・案内手段（接触面）、  (509)・・後部、  (511,512)・・固定手段、
【図１】
2013082444.tif 000003
【図２】
2013082444.tif 000004
【図３ａ】
2013082444.tif 000005
【図３ｂ】
2013082444.tif 000006
【図３ｃ】
2013082444.tif 000007
【図４ａ】
2013082444.tif 000008
【図４ｂ】
2013082444.tif 000009
【図４ｃ】
2013082444.tif 000010
【図５】
2013082444.tif 000011
【図６】
2013082444.tif 000012
【図７】
2013082444.tif 000013
【図８】
2013082444.tif 000014
【図９】
2013082444.tif 000015